(57)【要約】      （修正有）【課題】電池を使用する作動装置や充電装置などへの着脱をワンタッチで行えるコネクター付き電池パックを提供する。【解決手段】電池を使用する作動装置へ接続したり、充電のために充電装置へ接続したりするために使用するコネクターを備えている電池パックであって、作動装置に設けられた電池収容室に嵌め込まれる電池本体部分１２と、電池収容室又は充電装置３０に設けられている接続部３２とコネクター３１とは接触しながらスライドすることにより、電気的及び機械的に接続状態となり、そのためにスライド方向に長い接続端子１３、１４を接続部３２又はコネクター３１の少なくとも一方に有している。【選択図】図１
2005063815.tif 000002
【特許請求の範囲】
【請求項１】
電池を使用する作動装置へ接続したり、充電のために充電装置へ接続したりするために使用するコネクターを備えている電池パックであって、作動装置に設けられた、電池収容室に嵌め込まれる電池本体部分と、電池収容室又は充電装置に設けられている、接続部にワンタッチで接続されるコネクターとから成り、接続部とコネクターとは接触しながらスライドすることにより、電気的及び機械的に接続状態となり、そのためにスライド方向に長い接続端子を接続部又はコネクターの少なくとも一方に有しているコネクター付き電池パック。
【請求項２】
接続部とコネクターとは、電池本体部分を電池収納室へ嵌め込む際の動作によって、接触しながらスライドするように構成されている請求項１記載のコネクター付き電池パック。
【請求項３】
複数個の電池要素と、それらのうちの必要な電極に接続されるコネクター端子と組み合わされる端子取り付け部と、複数個の電池要素と端子取り付け部とをまとめて一体にする外被とを有している請求項１又は２記載のコネクター付き電池パック。
【請求項４】
コネクター端子は、或る部材の左右又は前後に分けて配置されていることにより、短絡の危険性を少なくするように形成されている請求項３記載のコネクター付き電池パック。
【請求項５】
電池を使用する作動装置へ接続したり、充電のために充電装置へ接続したりするために使用するコネクターを備えており、作動装置に設けられた、電池収容室に嵌め込まれる電池本体部分と、電池収容室又は充電装置に設けられている、接続部にワンタッチで接続されるコネクターとから成り、接続部とコネクターとは接触しながらスライドすることにより、電気的及び機械的に接続状態となり、そのためにスライド方向に長い接続端子を接続部又はコネクターの少なくとも一方に有しているコネクター付き電池パックを使用する目的で、銃本体に電池収容室が設けられており、かつ電池収容室には接続部が設けられていることを特徴とするコネクター付き電池パックを使用する電動式玩具銃。
【請求項６】
電池パックを電池収容室に機械的に嵌め込むことで、電気回路が形成されて作動可能な電気的接続状態となる請求項５記載のコネクター付き電池パックを使用する電動式玩具銃。
【発明の詳細な説明】
【技術分野】
【０００１】
本発明は、電池を使用する作動装置へ接続したり、充電のために充電装置へ接続したりするために使用するコネクター付き電池パック及びそれを使用する電動式玩具銃に関するものである。
【背景技術】
【０００２】
電池を使用する器具、装置類は極めて多岐にわたるが、電池交換を速やかにできるか否かが問われるものがあり、その中でも電動式玩具銃の場合には、電池交換ができない間は反撃が不可能であるため死活問題ということになる。充電済み予備電池を用意し、早目に電池交換を心掛けることがゲームを有利に展開するために必要である。
【０００３】
しかし従来の電池は、００６ｐ型のものを除くと接続手段を備えているものがない。００６ｐ型電池の場合でも、２個の電極にスナップ式コネクターを嵌合する必要がある。また正負電極が並んで露出しているためショートの危険性があり、電流値の高い集合電池の場合尚更である。その他のタイプのコネクターを使用する電池の場合には、コードを引き出してその先端についているコネクターを脱着しなければならず、２段階操作となり、ワンタッチ脱着という訳には行かないため、どうしても電池交換に手間取ることとなる。
【０００４】
また単３型などの乾電池を利用する場合、目的の電力を得るために複数個を使用することになるので、それら多数の電池を出し入れするのは容易ではなく、使用済み電池と未使用の電池とが混じってしまった場合には、万事休すということになる。このように機能的には有用な電池も、切羽詰った状況において、簡単かつ確実に、ワンタッチで着脱可能なものというのは知られていない。
【０００５】
【特許文献１】実開平５−１５３１５
【発明の開示】
【発明が解決しようとする課題】
【０００６】
本発明は前記の点に着目してなされたもので、その課題は、その電池を使用する作動装置や、充電装置などへの着脱をワンタッチで行うことができるコネクター付き電池パックを提供することである。また本発明の他の課題は安全性の高いコネクター付き電池パックを提供することである。さらにまた本発明の他の課題は、そのような電池パックを使用する、攻撃力、反撃力の高い電動式玩具銃を提供することである。
【課題を解決するための手段】
【０００７】
前記の課題を解決するため、本発明は電池を使用する作動装置へ接続したり、充電のために充電装置へ接続したりするために使用するコネクターを備えている電池パックとし
て、作動装置に設けられた、電池収容室に嵌め込まれる電池本体部分と、電池収容室又は充電装置に設けられている、接続部にワンタッチで接続されるコネクターとから成り、接続部とコネクターとは接触しながらスライドすることにより、電気的及び機械的に接続状態となり、そのためにスライド方向に長い接続端子を接続部又はコネクターの少なくとも一方に有しているものである。
【０００８】
本発明においてコネクターとは、導体をもって構成され、機械的及び電気的に、他の導体や端子などに接続する装置というほどの意味を持っている。電池を接続することが、電気的接続と機械的接続との両方を同時に満たすとともに、特にワンタッチ動作で着脱できるものであることが本発明の特徴となる。
【０００９】
このため本発明の電池パックは、電池本体とコネクターとから成る。電池本体は、当該電池パックを使用する作動装置に設けられている、電池収容室に嵌め込まれる。嵌め込まれる電池収容室とは、大きさ、形状がぴたりと合致する関係に形成されているもの、及び電池本体を余裕をもって収容できる空所を含む。コネクターは、電池収容室や充電装置に設けられている、接続部とワンタッチで接続されるものである。ワンタッチとは一つの動作だけで接続状態となるものを意味するが、接続状態での脱落防止手段が設けられている場合には、取り外し時脱落防止手段を解除する操作が介在することは止むを得ない。
【００１０】
接続部とコネクターとは、接触しながらスライドすることにより接続状態となることを必要とする。これは、一部で摺動、と言われていることと同義と解して良い。そのため
に、スライド方向に長いコネクター端子が必要とされるが、そのようなコネクター端子
は、接続部又はコネクターの少なくとも一方にあれば良い。スライド方向に長い、という場合スライドし得る長さを持つという趣旨であり、必ずしも細長い形態であることを意味しない。
【００１１】
このようなコネクターと接続部とは、コネクターを接続部へ接続する際の動作によっ
て、接触しながらスライドすることが望ましい。接触しながらスライドすることによっ
て、接続端子が、着脱の都度相当の長さにわたって擦られ磨かれるため、酸化皮膜のできる余地がなく、不導通となることが防止されるからである。
【００１２】
コネクター端子は、或る部材の左右又は前後に分かれた箇所に設け、前記００６Ｐ型のように並べて露出しないようにする。これにより電流値の高い集合電池でも安全性の高いものとなる。
【００１３】
本発明に係る、コネクター付き電池パックは、複数個の電池要素と、それらのうちの必要な電極に接続されるコネクター端子と組み合わせた端子取り付け部とを有し、複数個の電池と端子取り付け部とが外被によってまとめて一体になった形態とすることができ、それが実用上最も望ましい。この形態では、複数個の電池が外被で一体に包まれて、その一端部の位置にあるコネクター端子を、作動装置や充電装置の接続部に着脱する際のグリップのような役割を果たす。
【００１４】
このような構成を有する、コネクター付き電池パックを使用する電動式玩具銃は、銃本体に電池収容室が設けられており、かつ電池収容室には接続部が設けられていることが望ましい。例えば、コネクター付き電池パックを、銃身部やグリップ部の内部に収められる程度に小型に形成すれば、銃の外形を損なうことがなく、スマートにまとめられる。
【００１５】
このような玩具銃では、電池パックを電池収容室に嵌め込むことで、コネクターと接続部とが機械的に接続され、かつ電気回路が形成されて作動可能な電気的接続状態となる。このようなコネクター付き電池パックはワンタッチで着脱することができ、従って用意した予備電池を瞬時に交換することができるから、攻撃或いは反撃に手間取ることなく、サバイバルゲームなどを有利に展開することができる。なお、電池は比較的小型の電池要素を複数個接続使用する構造を持っている方が、電池容量の増減、占有容積の計算等の観点から、より有用である。
【発明の効果】
【００１６】
本発明は以上の如く構成され、かつ作用するものであるから、作動装置や充電装置などの接続部と電池パック側のコネクターとが接触しながらスライドすることにより、電気的及び機械的に接続状態となり、当該電池を使用する作動装置や充電装置などへの電源装置の着脱をワンタッチで行うことができるという効果を奏する。また本発明の電動式玩具銃においては、上記のようなコネクター付き電池パックを使用することができるので、電源装置のワンタッチ交換が可能であり、攻撃力、反撃力を一段と高めることができるという効果を奏する。
【発明を実施するための最良の形態】
【００１７】
以下図面を参照して本発明をより詳細に説明する。図１は本発明に係るコネクター付き電池パック１０の例示であり、この電池パック１０は、充電式の電池要素１１を数個直列に接続した電池本体１２と、その両極の電極と接続される接続端子であるコネクター端子１３、１４を取り付ける端子取り付け部１５並びに他端にて両極を導通する導板を有する底板１６とを有し、複数個の電池要素１１と端子取り付け部１５及び底板１６とは、外被１７によって一体に組み立てられている。
【００１８】
端子取り付け部１５及び底板１６は、電池要素１１を２個並列した場合の端面をカバーし得るように長円形の板状を有し、夫々に通電手段を有している。端子取り付け部１５の通電手段は前記のコネクター端子１３、１４であり、底板１６の通電手段１８は図示のように隣接電池要素１１、１１の電極を連絡している。コネクター端子１３、１４には接片１９、２０が設けてあり、各接片１９、２０は、端子取り付け部１５に形成されている小孔２１、２２を通って各電池要素１１、１１の電極に接触し、スポット溶接される。
【００１９】
図４により詳細に示されている例では、コネクター端子１３、１４は、コネクター係合部２３の頸部２４にまず取り付けられ、それに設けられている作業孔２５、２６を通してはんだ付けされたのち、カバー２７、２７を嵌めて仕上げている。コネクター係合部２３は、後述する作動装置４７又は充電装置３０への接続状態における抜け止めとしても作用
し、また接続が正しく行われるように端部２８、２９の形状を異ならせている。なお、外被１７は、熱収縮性樹脂より成るチューブを用いて本発明のものの電池部及びコネクター部基部をぴったりと包み、一体化したものである。
【００２０】
本発明に係るコネクター付き電池パック１０と共に使用する充電装置３０は、コネクター３１である係合部２３をワンタッチで接続することができる接続部３２を有している。例示の接続部３２は、図５に示すように、一方から差し込むスリット状を有し、係合部２３と係合可能でありかつ頸部２４に設けられているコネクター端子１３、１４と接触する接点３３、３４を有している。スリットを有する係合相手部内部には、接点３３、３４を保護しショートを防止するとともに、接続状態において係合部２３を押圧可能なように、押圧片３５と弾性手段３６とが設けられている。
【００２１】
コネクター３１と接続部３２との接続状態として図６が示されている。コネクター３１を接続部３２に接続すると、係合部２３が接点３３、３４の下に係合し、頸部２４のコネクター端子１３、１４は接点３３、３４に接触しながらスライドする。またコネクター３１は接続状態において、押圧片３５により押されており、抜け出しが防止され得る状態にある。なお、係合部２３の一端部２８は小円形状に、また他端部２９は大円形状に形成されているので、小円形状の一端部２８から差し込むことはできても、大円形状の他端部２９からは差し込むことができない。
【００２２】
図７以下は、本発明のコネクター付き電池パック１０を使用する電動式玩具銃４０の例示である。この電動式玩具銃４０はピストル型の銃本体４１を有し、その銃身部内における銃身４２の下部に、コネクター付き電池パック１０を斜めに嵌め込むスペースを確保してこれを電池収容室４３とし、その一端部に接続部４４を設けている。
【００２３】
接続部４４は、コネクター３１である電池パック側係合部２３をワンタッチで接続するため、斜め上方を向けたスリット状部分を有し、その中に接点４５、４６が充電装置同様（ａ）図７のものの横断面図に設けられている（図８）。接続部４４は電池収容室内における電池パック１０の固定手段であり、他端は電池収容室４３との嵌め込みによって固定されている。
【００２４】
銃本体４１には、電池電力を使用する作動装置４７としてモーターが組み込まれてお
り、その動力はピストンシリンダー機構４８を駆動し、ピストン１衝程毎にノズルから銃身付根部４９に圧縮エアを噴射し、弾倉５０から給弾される球状の弾丸を発射することができるように構成されている。５１はスライドを模した銃身上部ケースを示しており、先端部と後端部の掛け止め部５２、５３にて銃本体４１に即座に着脱することができる。５４は引き金を示しており、これを引くと電気回路が閉成され、作動装置４７を動作させることができる。なお、図９ではグリップ部下部の部品は省略されている。
【００２５】
従って、本発明のコネクター付き電池パック１０を電動式玩具銃４０の電池収容室４３に嵌め込むとともに、その係合部２３を接続部４４に係合させるワンタッチ操作で、電池パック１０を電動式玩具銃４０に機械的かつ電気的に接続することができ、しかもその銃には一切余分な付属物、不自然な変形部がない。また電動式玩具銃４０の使用時にも、コネクター付き電池パック１０は電池収容室内で固定されているので、がたついたり、脱落したりする恐れはない。
【００２６】
そして使用により電池が消耗した場合には、銃身上部ケース５１を外し、電池本体部分を摘み出すことができる。また、充電した予備電池パック１０を接続することがワンタッチで行えることは勿論である。
【産業上の利用可能性】
【００２７】
このように本発明のコネクター付き電池パック１０は、作動装置への接続や充電装置への接続のワンタッチ化を可能としているので、電力が絶たれる時間を最短とすることができ、取り扱いも簡単であることから、電動式玩具銃に利用することのほか、老人や心身に障害を持つ者の使用する機器、或いは医療機器などの電源としても利用可能である。
【図面の簡単な説明】
【００２８】
【図１】（ａ）本発明に係るコネクター付き電池パックの１例を示す斜視図。（ｂ）充電装置の接続部との関係を示す斜視図。
【図２】同じく図１の電池パックの分解斜視図。
【図３】同じく一部拡大図。
【図４】（ａ）コネクター係合部の分解斜視図。（ｂ）コネクター係合部と端子取り付け部の分解斜視図。（ｃ）コネクター係合部と端子取り付け部とを一体にしたものの分解斜視図。（ｄ）コネクター側と電池本体側とを分解して示す側面図。（ｅ）コネクター側から見た端面図。
【図５】（ａ）本発明に係る電池パックのコネクター側の端面図。（ｂ）充電装置側接続部の平面図。（ｃ）図４（ａ）のものの側面図。（ｄ）図４（ｂ）のものの横断面図。（ｅ）図４（ａ）のものの正面図。（ｆ）図４（ｂ）のものの縦断面図。
【図６】（ａ）本発明に係る電池パックのコネクターと充電装置の接続部との接続状態を示す平面図。（ｂ）同上の横断面図。（ｃ）同じく縦断面図。
【図７】本発明に係るコネクター付き電池パックを使用する電動式玩具銃の１例を示す分解側面図。
【図８】（ａ）図７のものの横断面図。（ｂ）図９のものの横断面図。
【図９】図７のものの組み立て状態を示す側面図。
【符号の説明】
【００２９】
１０  コネクター付き電池パック
１１  電池要素
１２  電池本体
１３、１４  接続端子であるコネクター端子
１５  端子取り付け部
１７  外被
２３  コネクター係合部
２８、２９  端部
３０  充電装置
３１  コネクター
３２  接続部
３３、３４、４５、４６  接点
４０  電動式玩具銃
４３  電池収容室
４７  作動装置
【図１】
2005063815.tif 000003
【図２】
2005063815.tif 000004
【図３】
2005063815.tif 000005
【図４】
2005063815.tif 000006
【図５】
2005063815.tif 000007
【図６】
2005063815.tif 000008
【図７】
2005063815.tif 000009
【図８】
2005063815.tif 000010
【図９】
2005063815.tif 000011